(57)【特許請求の範囲】
【請求項１】
電子書籍リーダー機器用の付属品マウントであって、前記付属品マウントは、
基部と、
前記電子書籍リーダー機器内の第１のスロットに係合するように構成された第１のフックであって、前記第１のフックは、返しを有し、前記基部に可動で係合される実質的に平面的な係合部材を備える、第１のフックと、
係止構成で前記第１のフックを偏向させるように構成されたバネと、
前記電子書籍リーダー機器内の第２のスロットに係合するように構成された第２のフックであって、前記第２のフックは、末端部が前記第１のフックから実質的に離れた方を指す単一の平面内の弧を表す曲面を有する係合部材を含み、前記第２のフックは、前記電子書籍リーダー機器に前記付属品マウントが係合している間、前記基部に対して動かすことができないように前記基部に固定されている、第２のフックと、
所定の方向に力をかけると、前記第１のフックが前記バネを圧縮し、前記第１のスロットから前記第１のフックを切り離すように構成されたボタンと
を備えたことを特徴とする付属品マウント。
【請求項２】
前記第１のフックが実質的に平面的なシャフトを備え、前記第２のフックが実質的に平面的なシャフトを含み、前記第１のフック及び前記第２のフックの前記シャフトが、前記基部の平面に実質的に平行な平面内にあることを特徴とする請求項１に記載の付属品マウント。
【請求項３】
前記第１又は前記第２のフックの内の少なくとも１つが、前記電子書籍リーダー機器と前記付属品マウントの間に前記第１のフック又は前記第２のフックを介して電力を搬送するように構成されることを特徴とする請求項１に記載の付属品マウント。
【請求項４】
電子機器付属品マウント本体と、
前記電子機器付属品マウント本体に可動で取り付けられた第１のラッチアームと、
係止構成で前記第１のラッチアームを偏向させるように構成されたバネと、
前記第１のラッチアームから実質的に離れて向けられる弧を表し、前記電子機器付属品マウント本体に固定して取り付けられた第２のラッチアームと、
所定の方向に力をかけると、前記第１のラッチアームが前記バネを圧縮し、前記電子機器付属品マウント本体がマウントされる電子機器から前記第１のラッチアームを切り離すように構成されたボタンと
を備え、少なくとも１つのラッチアームが、前記マウントされる電子機器と前記電子機器付属品マウント本体の間に前記ラッチアームを介して電力を搬送するように構成される
ことを特徴とする電子機器付属品マウント。
【請求項５】
前記第１のラッチアーム及び前記第２のラッチアームが実質的に同一平面内にあることを特徴とする請求項４に記載の電子機器付属品マウント。
【請求項６】
電子機器付属品マウント本体に取り付けられた第１のフックと、
係止構成で前記第１のフックを偏向させるように構成されたバネと、
前記第１のフックから距離を隔てて前記電子機器付属品マウント本体に取り付けられた第２のフックであって、前記距離が、前記第１のフックの外側端縁から前記第２のフックの外側端縁まで測定された、少なくとも９０ｍｍで、多くとも１５０ｍｍである第２のフックと、
所定の方向に力をかけると、前記第１のフックが前記バネを圧縮し、前記電子機器付属品マウント本体がマウントされる電子機器から前記第１のフックを切り離すように構成されたボタンと
を備え、少なくとも１つのラッチアームが、前記マウントされる電子機器と前記電子機器付属品マウント本体の間に前記ラッチアームを介して電力を搬送するように構成される
ことを特徴とする電子機器付属品マウント。
【請求項７】
前記第２のフックが実質的に平面的な曲線状の本体を備えたことを特徴とする請求項６に記載の電子機器付属品マウント。
【請求項８】
前記第１のフック、又は前記第２のフック、又は両方が、前記電子機器付属品マウント本体に可動で係合されることを特徴とする請求項６に記載の電子機器付属品マウント。
【発明の詳細な説明】
【技術分野】
【０００１】
電子書籍リーダー（「ｅ−ブックリーダー」）、セルラー電話、パーソナルデジタルアシスタント（ＰＤＡ）、ポータブルメディアプレーヤ、タブレットコンピュータ、ネットブック等の電子機器は、それらに取り付けられる付属品を有することがある。付属品の１つの例は、機器の識別及び美観を強化するためだけではなく、機器を保護するため、のカバーである。
【背景技術】
【０００２】
付属品は、様々な場所で、様々な機構を使用して電子機器に取り付けられ得る。取付けの場所及び方法を決定する要因は、機器のフォームファクタ、ボタン等のユーザインタフェースの配置、取付けポートの配置、視感と触感、及び機器の機能性等を含む。たとえば、電子機器は、ユーザ入力を受け入れるために、機器のケースの周縁部の回りに配置されるボタンを使用することがある。また電子機器は、機器の端縁に沿って、外部周辺装置又は他の電子機器に接続するためのポートを有することもある。
【発明の概要】
【発明が解決しようとする課題】
【０００３】
電子機器にカバー等の付属品を取り付ける既存の方法は、機器のケースの周縁部の回りに配置されるボタンにアクセスするユーザの能力を妨げたり、又は端縁に沿った取付けポートを見づらくすることがある。さらに、接着剤の使用、縫合等の、機器に付属品を取り付ける方法は、組立を複雑化し、電子機器からのカバーの取り外しを不可能又は非実用的にする。
【０００４】
添付図面に関して、詳細な説明が述べられる。図中、参照番号の最も左の数（複数の場合がある）は、参照番号が最初に出現する図を特定する。別の図に同じ参照番号が使用されると、類似した又は同一の項目が示される。
【図面の簡単な説明】
【０００５】
【図１】付属品マウントを有する例示的な付属品の、電子機器との漸次的な係合を示す概略図である。
【図２】図１の付属品マウントの斜視図である。
【図３】例示的なカバーをｅ−ブックリーダーに係合する図１の付属品マウントを示す図である。
【図４】図１の付属品マウントの第１のフックの斜視図である。
【図５Ａ】図４の第１のフックの俯瞰図である。
【図５Ｂ】図４の第１のフックの端面図である。
【図５Ｃ】図４の第１のフックの側面図である。
【図６】図１の付属品の第２のフックの斜視図である。
【図７Ａ】図６の第２のフックの俯瞰図である。
【図７Ｂ】図６の第２のフックの端面図である。
【図７Ｃ】図６の第２のフックの側面図である。
【図８】第１のフック及び第２のフック、並びにばね構造の配置を示す、図１の付属品マウントの前面図である。
【図９】フックが付属品マウントの本体から実質的に直交して突出する付属品マウントの別の実装形態を示す図である。
【図１０Ａ】圧縮バネが可動フックの係合を維持する、付属品マウントの別の実装形態を示す図である。
【図１０Ｂ】引張コイルバネが、可動フックの係合を維持する、付属品マウントの別の実装形態を示す図である。
【図１１】付属品マウントの本体に２つのフックが可動で係合される、付属品マウントの別の実装形態を示す図である。
【図１２】両方のフックとも付属品マウントの本体に固定して係合され、可動ラッチが本体から伸長し、電子機器上の穴に係合する、付属品マウントの別の実装形態を示す図である。
【図１３】図１の付属品マウントを使用するように構成された電子機器の１実装形態の寸法を示す図である。
【発明を実施するための形態】
【０００６】
（概要）
上述されたように、付属品が、ｅ−ブックリーダー、セルラー電話、パーソナルデジタルアシスタント（ＰＡＤ）、ポータブルメディアプレーヤ、タブレットコンピュータ、ネットブック等の電子機器に取り付けられ得る。一例では、付属品は電子機器の美観を保護し、識別を助け、及び／又は改善するカバーであってよい。他の付属品は、読書灯、光源、ドッキングステーション、追加記憶装置、盗難を防ぐためのセキュリティチェーン、スタンド、表面マウントを含むことがある。取付け装置は、電子機器に付属品を取り外し自在に結合する。
【０００７】
開示されているのは、薄型の取付け装置である。この取付け装置は、工具不要の付属品の取付けと取り外しを可能にしつつ、電子機器と付属品の間に確かな係合を提供する。付属品がカバーである場合、取付け装置は、平らになるようにカバーを開くことができるか、又は電子機器の下にカバーを折り畳むことができるようにし、カバーの折り畳み部に隣接する電子機器の端縁上の周縁部に取り付けられたボタン又はポートとの干渉を最小限に抑えるカバーの取付けも可能にする。
【０００８】
一実装形態では、取付け装置は,基部に係合された第１のフック（つまりラッチアーム）、及び第２のフック（つまりラッチアーム）を含む。電子機器は、これらのフックを補完する１つ又は複数のスロット等の係合形状部を含む。電子機器には、２つ以上の係合スロット等の複数の係合形状部がある場合もあれば、１つのスロット又は溝等の単一の係合形状部がある場合もある。
【０００９】
１つの具体的な実装形態では、第１のフックは基部の一部に可動で係合され、バネが基部内に配置され、第１のフックを通常は係止された、つまり係合された状態に維持する。この実装形態での第２のフックは、第１のフックより遠位の基部の部分に固定して係合され、曲げられている。２個以上のフックも使用され得る。
【００１０】
いくつかの実装形態では、本取付け装置が電気的な接続を提供することもある。例えば、フックは動力又はシグナリングのために電流を搬送してよい。このフックは単一の電流経路を提供する単一の導体であってよいか、又は互いから絶縁されている複数の導体を含んでよい。たとえば、上部導電層は、絶縁体によって下部導電層から分離され、２つの導電通路を形成できる。または、非導電フック又は絶縁体を被覆されたフックが、それに沿って配置される複数の導電トレースを有してよい。
【００１１】
（電子機器の付属品への取付け）
図１は、付属品マウント１００を有する例示的な付属品１０４の、電子機器１１２との漸次的な係合を示す概略図である。カバー等の付属品１０４は、付属品マウント１００を使用して電子機器１１２に取り付けられてよい。この例では、付属品マウント１００は、本体１０２、第１のフック１０６、及び第２のフック１１０を含む。本体１０２は、ロープロファイルを有する実質的に平らであってよい。第１のフック１０６は、本体１０２と可動で係合され、ユーザによる作動のためのボタン１０８を含む。第２のフック１１０は、本体１０２に沿って第１のフック１０６から距離「Ｄ１」のところにある本体１０２に固定して係合される。距離「Ｄ１」は、第１のフックの上部端縁から第２のフックの上部端縁に伸びる。距離「Ｄ２」は、第１のフック及び第２のフックの一番外側の端縁の間に伸びる。
【００１２】
電子機器１１２は、内部係合空間を画定する第１のスロット１１４、及び内部係合空間を画定する第２のスロットを含む。第１のスロット１１４及び第２のスロット１１６は、それぞれ第１のフック１０６及び第２のフック１１０を補足し、第１のフック１０６及び第２のフック１１０に機械的に係合するように構成される。「Ｄ１」は、スロット１１４、１１６、又は電子機器上の他の係合形状部を結合するために適切な任意の距離であってよい。図示されている電子機器１１２では、距離「Ｄ１」は、少なくとも約９０ミリメートル（ｍｍ）で、多くても約１５０ｍｍであってよい。別の例では、Ｄ１は約９０ｍｍと約１０５ｍｍの間であってよい。さらに別の例では、Ｄ１は約９１ｍｍと約９９ｍｍの間であってよい。「Ｄ２」は、少なくとも約９０ｍｍで、多くても約１６５ｍｍであってよい。「Ｄ３」は、電子機器１１２内の第１のスロット１１４の内部係合空間の一番外側の端縁と第２のスロット１１６の内部係合空間の間の距離を示す。距離「Ｄ３」は、少なくとも約９０ｍｍと、多くても約１６５ｍｍの間であってよい。言うまでもなく、他の実装形態では、Ｄ１及びＤ３はより長い又はより短い距離であってよい。
【００１３】
図１に示される構成は、付属品の取付けを簡略で、妨害しないものにする。破線１１８は、取付け中の電子機器１１２の外形を示す。破線１２２は、取付け後の電子機器１１２の外形を示す。取付けは、図示されているように、付属品マウント１１０の第２のフックを、電子機器１１２の第２のスロット１１６内へ設置することから始まる。次に、電子機器１１２が、第１のフック１０６に向かって、通常は、第２のフック１１０に近接する弧に沿って、矢印で示される方向に移動される。（１２２で破線によって示される）取り付けられた構成では、第１のフック１０６が、電子機器１１２の第１のスロット１１４に係合する。一方、第２のフック１１０は、第２のスロット１１６に係合する。
【００１４】
取り外しは逆の順序で起こり、ユーザは、ボタン１０８を押し、それによって第１のフック１０６を切り離すことによって方向１２４に沿って（この例では第２のフック１１０に向かって）第１のフック１０６を動かす。第１のフック１０６がいったん切り離されると、ユーザは第１のフック１０６から離れるように電子機器１０２を枢動し、第２のフック１１０から付属品マウント１００を切り離す。
【００１５】
図２は、電子機器１１２がない状態の、図１の付属品マウントの斜視図２００を示す。
【００１６】
図３は、例示的なカバー付属品１０４をｅ−ブックリーダー電子機器１１２に係合し、カバー付属品１０４が平らで開かれた構成となる、図１の付属品マウントの斜視図３００を示す。カバー付属品１０４のフロントカバーを矢印３０２に沿って折り畳むと、カバー付属品１０４は折り畳まれて開かれた構成になる。破線３０４は、カバーが電子機器の下で折り畳まれた状態の、折り畳まれて開かれた構成にあるカバー付属品１０４を示す。上述されたように、折り畳まれて開かれた構成では、ユーザは、端縁に取り付けられた係合形状部に隣接する機器の周縁部に沿って配置された、端縁に取り付けられたボタン３０６に遮られずにアクセスできる。
【００１７】
図４は、図１の付属品マウントの第１のフック１０６の斜視図４００を示す。第１のフック１０６は、さらに第１のフック本体４０２を含む。第１のフック本体４０２は、ユーザが第１のフック１０６を操作するためのボタン１０６を有する。このボタン１０８は、第１のフック本体４０２の拡張部、又は第１のフック本体４０２に取り付けられた別個の部品であってよい。第１のフック本体４０２から延在しているのは、電子機器１１２内の補足的な第１のスロット１１４に係合するように構成された、第１のフック返し４０４を有する第１のフック１０６である。第１のフック本体４０２は、バネ係合形状部４０６を有してよい。バネ係合形状部４０６は、ユーザがボタン１０８に圧力をかけていないときに、バネに係合し、第１のフック１０６をラッチ位置に偏向する。第１のフック４０２は、第１のフック本体４０２を強化するための１つ又は複数のリブ４０８を有してもよいか、又は本体１０２内の一致する形状部に係合してもよいか、もしくは両方であってもよい。
【００１８】
図５Ａは、図４の第１のフック１０６の俯瞰図５Ａ００を示す。第１のフック１０６に沿ったボタン１０８の内部端縁から第１のフック返し４０４の内部端縁までの距離５Ａ０２は、約２．１６ｍｍである。ボタン１０８の内部端縁から第１のフック１０６の端部までの距離５Ａ０４は、約５．３６ｍｍである。実質的には距離５Ａ０２に垂直である距離５Ａ０６は、第１のフック１０６のシャフトの端縁から、第１のフック返し４０４の先端まで、約１．５ｍｍ伸びる。第１のフック１０６のシャフトの幅は、広がり、第１のフック返し４０４を形成する前には約２．４６ｍｍである。
【００１９】
図５Ｂは、図４Ａの第１のフックの端面図５Ｂ００を示す。第１のフックの垂直部材５Ｂ０２は可視であり、第１のフック本体４０２と第１のフック１０６の間に延在する。スタンドオフ距離５Ｂ０４は、電子機器１１２の厚さ、及びスロット１１４、１１６、又は他の係合形状部の電子機器１１２上での配置によって定められる。この図では、スタンドオフ距離５Ｂ０４は約３．７ｍｍである。この図は、実質的に、第１のフック本体４０２の平面に平行な平面内にある、第１のフック返し４０４及び第１のフック１０６も示す。５Ｂ０６での第１のフック１０６の厚さは、約０．８ｍｍである。
【００２０】
図５Ｃは、図４の第１のフック１０６の側面図５Ｃ００を示す。
【００２１】
図６は、図１の付属品マウント１００の第２のフック１１０の斜視図６００を示す。第２のフック１１０は、付属品１０４のスロット又は他の係合形状部との取付けのための取付け穴６０４がある第２のフック本体６０２を有してよい。
【００２２】
図７Ａは、図６の第２のフックの俯瞰図を示す。可視的表示器７Ａ０２は、第２のフック１１０上に設けられてよい。この可視的表示器７Ａ０２は、ユーザに指示を出すことによって電子機器の付属品への取付けを容易にする。この図中、可視的表示器は、図示されるように、切り出され、塗装され、エッチングされ、エンボス加工されてよいか、又はそれ以外の方法で表面上に提供されてよい。また、図７Ａは、中心「Ｃ」に対して半径「Ｒ」を有する、第２のフック１１０の湾曲部を示し、第２のフック１１０の末端部は、第１のフック１０６から実質的に離れて指す。１つの例示的な実施形態では、「Ｒ」は約４．８５ｍｍであってよい。第２のフック１１０によって表される曲線の弧の長さは、少なくとも約３ｍｍで、多くても約８ｍｍであってよい。この例では、第２のフック１１０の幅７Ａ０４は約５．１ｍｍである。
【００２３】
図７Ｂは、図６の第２のフックの端面図を示す。第２のフックの垂直部材７Ｂ０２は可視であり、第２のフック本体６０２と第２のフック１１０の間に延在する。スタンドオフ距離７Ｂ０４は、電子機器１１２の厚さ、及びスロット１１４、１１８、又は他の係合形状部の電子機器１１２上の配置によって定められる。この例では、スタンドオフ距離７Ｂ０４は約３．７ｍｍである。また、この図は、実質的に、第２のフック本体６０２の平面に平行な平面内にある第２のフック１１０を示す。７Ｂ０６に示される第２のフック１１０の厚さは約０．８ｍｍである。
【００２４】
図７Ｃは、図６の第２のフックの側面図を示す。
【００２５】
図８は、第１のフック及び第２のフック、並びにバネ機構の内部配置を示す、図１の付属品マウント１００の前面図を示す。第１のフック１０６は、第１のフック本体４０２に付着する。第１のフック本体４０２は、バネ係合形状部４０６を介してバネ８０２に係合されて示される。バネ８０２は、圧縮バネであってよい。バネ８０２は、ピアノ線, 平らなストック、箔、プラスチック、又は他の弾性材料から形成されてよい。別の実施形態では、バネ８０２は複数の磁気部材、凹み機械部分、カム機械部分、又は干渉機能部に代わってよい。
【００２６】
ガイド機能部８０４は、第１のフック本体４０２の所定の領域への移動を制約するために、第１のフック本体４０２の回りに配置されてよい。代わりに、溝又はリブを含むガイド機能部が、本体１０２内に存在し、第１のクリップ本体４０２上のリブ４０８に係合してよい。
【００２７】
この図では、バネ８０２は、第１のフック本体４０２上でバネ係合形状部４０６によって係合される近端部を有し、誘導部材８０４と接する遠位端を有する圧縮バネである。ユーザがボタン１０８に方向１２４で力をかけると、第１のフック１０６及び取り付けられた第１のフック本体４０２がバネ８０２を圧縮し、電子機器１１２の第１のスロット１１４から第１のフック１０６を切り離す。たとえば、第１のフックは本体１０２に固定して取り付けられてよい。一方、第２のフック１１０は、バネと本体１０２に可動で係合され、ユーザが第２のフック１１０に圧力をかけていないときに、第２のフック１１０をラッチ位置に偏向する。
【００２８】
図８の図では、切り離し運動方向１２４は第２のフック１１０に向かっている。しかしながら、他の例では、方向１２４はやはり第２のフック１１０から離れてよいか、又は第１のフック返し４０４又は他の係合形状部を、電子装置１１２内の第１のスロット１１４から切り離すための機構によって定められる別の方向であってよい。
【００２９】
図９は、取り付けられた読書灯９０２と、付属品マウント９００の別の実装形態を示す。この実装形態では、第１のフック９０４及び曲線状の第２のフック９０６が、付属品マウントの本体９０８から実質的に直交して突出する。第１のフック９０４は、曲線状の第２のフック９０６に向かって方向９１０に沿って移動し、電子機器１１２から付属品マウント９００を切り離してよい。第１のフック９０４と曲線状の第２のフック９０６の間に位置する追加の係合形状部９１２は、本体９０８から実質的に直交して突出してよい。追加の係合形状部９１２は、付属品マウント９００と電子機器１１２の間の係合に追加の構造上の強さを提供できる。
【００３０】
図１０Ａは、付属品マウント１０Ａ００の別の実装形態を示す。第１のフック１０Ａ０２は本体１０Ａ０４と可動で係合している。圧縮バネ１０Ａ０６は、第１のフック１０Ａ０２及び本体１０Ａ０４に係合し、第１のフック１０Ａ０２と固定して係合されるボタン１０Ａ０８に圧力がかけられるまで、係合された構成で第１のフック１０Ａ０２を維持する。第２の曲線状のフック１０Ａ１０は、第１のフック１０Ａ０２から遠位で本体１０Ａ０４に係合される。図１の付属品マウント１００とは対照的に、付属品マウント１０Ａ００は垂直スタンドオフ部材を有しておらず、したがって第１のフック１０Ａ０８及び第２のフック１０Ａ１０は本体１０Ａ０４とインラインしている。また、付属品マウント１０Ａ００は、付属品マウント１００上の摺動式ボタン１０８の代わりに、付属品カバーを切り離すためのプッシュボタンを提供する。
【００３１】
図１０Ｂは、付属品マウント１０Ｂ００の別の実装形態を示す。第１のフック１０Ｂ０２は、本体１０Ｂ０４と可動で係合されている。引張コイルバネ１０Ｂ０６は、第１のフック１０Ｂ０２及び本体１０Ｂ０４に係合し、第１のフック１０Ｂ０２と固定して係合されているボタン１０Ｂ０８に圧力がかけられるまで、係合された構成に第１のフック１０Ｂ０２を維持する。第２の曲線状のフック１０Ｂ１０は、第１のフック１０Ｂ０２から遠位で本体１０Ｂ０４に固定されて係合される。図１０Ａの付属品マウント１０Ａ００とは対照的に、付属品マウント１０Ｂ００は引張コイルバネを使用する。
【００３２】
図１１は、付属品マウントの別の実装形態１１００を示す。第１のフック１１０２及び第２のフック１１０４は、本体１１０６と可動で係合され、本体１１０６から突出する。第１のフック１１０２は、方向１１０８に沿って第２のフック１１０４に向かって実質的に可動である。第２のフック１１０４は、方向１１１０に沿って実質的に第１のフック１１０２に向かって可動である。第１のフック１１０２及び第２のフック１１０４は、互いとは無関係に、又は互いと同時に移動できる。付属品マウント１１００からの電子デバイス１１０２の切り離しは、実質的に互いに向かって１つのフック又は両方のフックを移動させ、したがって電子機器１１２の補足的なスロットからフックを切り離し、付属品マウント１１００及び電子機器１１２を取り外しすることによって達成される。
【００３３】
なんらかの実装形態では、第１のフック１１０２と第２のフック１１０４の間に位置する追加の係合形状部１１１２が、本体１１０６から実質的に垂直に突出してよい。追加の係合形状部１１１２は、付属品マウント１１００と電子機器１１２の間の係合に追加の構造上の強度を提供することができる。
【００３４】
図１２は、付属品マウント１２００の別の実装形態を示す。第１のフック返し１２０４を有する第１のフック１２０２及び第２のフック返し１２０８を有する第２のフック１２０６は、付属品マウントの本体１２１０に固定して取り付けられている。第１のフック１２０２及び第２のフック１２０６は、そのそれぞれの返し１２０４及び１２０８が、実質的に同じ方向を指している状態で配向される。ラッチ１２１２は、本体１２１０から伸長し、電子機器１１２上に存在する穴又は凹部に係合する。第１のフック１２０２及び第２のフック１２０６を補足スロット、又は電子機器１１２上に存在する他の係合形状部の中に配置することによって、取付けは達成される。次に、電子機器１１２は、第１のフック及び第２のフック１２０６がそのそれぞれのスロットに係合し、ラッチ１２１２が電子機器１１２内の補足的な穴又は凹部に係合するまで、矢印１２１４によって示される方向に沿って摺動される。付属品マウント１２００及び電子機器１１２は、ラッチ１２１２を切り離し、方向矢印１２１４によって示される方向と反対の方向に電子機器１１２を摺動することによって切り離されてよい。
【００３５】
図１３は、図１の付属品マウントを使用するように構成された電子機器１３００の１つの特定の実施形態の寸法を示す。１３０２で、第１のスロット入口端縁から、第２のスロット入口端縁までの距離は約９３．６ｍｍである。各スロット入口１３０４の幅は約５．７ｍｍである。各スロット入口は、内部係合空間の中に開く前に機器の中に約２．４ｍｍ伸長する（１３０６）。電子機器１３００のケースの外側周縁部から、内部係合空間の最も内側の点までの距離１３０８は、約６．９ｍｍである。第１のスロット入口に近接する角の中の頂点から、最も近い第１のスロット入口端縁までの距離は、約５６ｍｍである（１３１０）。電子機器の他の実施形態は、さらに大きい又はさらに小さい寸法を有してよい。
【００３６】
基部、フック、バネ、及び他の構成部品は、打ち抜き加工、切削加工、成形、化成、もしくは金属、プラスチック、又は複合材等の選ばれた材料に適切な他の方法によって作られてよい。
【００３７】
第１節。基部と、電子書籍リーダー内の第１のスロットに係合するように構成された第１のフックであって、返しを有し、基部に可動で係合される実質的に平面的な係合部材を含む第１のフックと、係止構成で第１のフックを偏向させるように構成されたバネと、電子書籍リーダー内の第２のスロットに係合するように構成された第２のフックであって、末端部が第１のフックから実質的に離れた方を指す単一の平面内に弧を表す曲面を有する係合部材を含み、前記基部に固定されている第２のフックとを含む、電子書籍リーダー機器用の付属品マウント。
【００３８】
第２節。第１のフックの最も外側の端縁と第２のフックの最も外側の端縁の間の距離が、少なくとも約９０ｍｍで、多くとも約１５０ｍｍを含む、第１節に記載の付属品マウント。
【００３９】
第３節。前記第１のフックが実質的に平面的なシャフトを含み、前記第２のフックが実質的に平面的なシャフトを含み、前記第１のフック及び前記第２のフックの前記シャフトが、前記基部の平面に実質的に平行な平面内にある、第１節に記載の付属品マウント。
【００４０】
第４節。前記第１又は前記第２のフックの内の少なくとも１つが、前記電子機器と前記付属品マウントの間に導電性の経路を確立するように構成される、第１節に記載の付属品マウント。
【００４１】
第５節。付属品本体と、電子機器付属品本体に可動で取り付けられる第１のラッチアームと、前記第１のラッチアームから実質的に離れて向けられる弧を表し、前記付属品本体に固定して取り付けられる第２のラッチアームとを含む、電子機器付属品マウント。
【００４２】
第６節。前記第１のラッチアーム及び前記第２のラッチアームが実質的に同一平面内にある、第５節に記載の電子機器付属品マウント。
【００４３】
第７節。前記第１のラッチアーム及び前記付属品本体が単一部品である、第５節に記載の電子機器付属品マウント。
【００４４】
第８節。少なくとも１つのラッチアームが、前記電子機器と前記付属品マウントの間に電気的な接続を確立するように構成される、第５節に記載の電子機器付属品マウント。
【００４５】
第９節。前記電気的接続が、前記それぞれのラッチアーム（複数の場合がある）に固着された回路トレースを含む、第８節に記載の電子機器付属品マウント。
【００４６】
第１０節。付属品マウント本体に取り付けられた第１のフックと、前記第１のフックから距離を隔てて前記付属品マウント本体に取り付けられた第２のフックであって、前記距離が、前記第１のフックの外側端縁から前記第２のフックの外側端縁まで測定された、少なくとも約９０ｍｍで、多くとも約１５０ｍｍである第２のフックとを含む、電子機器付属品マウント。
【００４７】
第１１節。少なくとも１つのラッチアームが、前記電子機器と前記付属品マウントの間に複数の分離した導電性経路を確立するように構成される、第１０節に記載の電子機器付属品マウント。
【００４８】
第１２節。前記第２のフックが実質的に平面的な曲線状の本体を含む、第１０節に記載の電子機器付属品マウント。
【００４９】
第１３節。前記第１のフック及び前記第２のフックが実質的に同一面内にある、第１０節に記載の電子機器付属品マウント。
【００５０】
第１４節。前記第１のフック及び前記第２のフックが実質的に平行な平面内にある、第１０節に記載の電子機器付属品マウント。
【００５１】
第１５節。前記第１のフック、又は前記第２のフック、又は両方が、前記付属品マウント本体に可動で係合される、請求項１０に記載の電子機器付属品マウント。
【００５２】
第１６節。付属品に電子機器を取り付けるシステムであって、付属品本体の回りに配置された複数の係合フックであって、少なくとも１つのフックが曲線状である、複数の係合フックと、前記複数のフックを補足する１つ又は複数の係合形状部を有する電子機器であって、前記フックが係合形状部に係合し、前記電子機器を前記付属品本体に取り付ける、電子機器とを含むシステム。
【００５３】
第１７節。前記付属品本体が、前記電子機器の底面に隣接し、底面の下に配置される、第１６節に記載のシステム。
【００５４】
第１８節。複数の係合フックの内の１つが前記付属品本体に可動で係合され、前記取り付けられた電子機器を解放するように構成される、第１６節に記載のシステム。
【００５５】
第１９節。前記電子機器上の前記係合形状部の一部が、前記係合フックを解放するように構成される、第１６節に記載のシステム。
【００５６】
第２０節。前記電子機器上の前記係合形状部が、単一のスロット又は溝を含む、第１６節に記載のシステム。
【００５７】
第２１節。前記係合形状部の最も外側の端縁間の距離が、少なくとも約９０ｍｍで、多くとも約１６５ｍｍである、第１６節に記載のシステム。
【００５８】
第２２節。前記複数のフックが少なくとも３つのフックを含む、第１６節に記載のシステム。
【００５９】
（結論）
主題は、構造上の特徴及び／又は方法論的な行為に特定の言語で説明されてきたが、添付特許請求の範囲に定められる主題は、必ずしも説明された特定の特徴、寸法、又は行為に制限されないことを理解されたい。むしろ、これらの特定の特徴、寸法、および行為は、特許請求の範囲を実施する例示的な形式として開示される。さらに、本明細書に説明されるどの機器の機能部のどれも、様々な材料に又は類似する構造で実装され得る。
【図１】
0005722795.tif 000002
【図２】
0005722795.tif 000003
【図３】
0005722795.tif 000004
【図４】
0005722795.tif 000005
【図５Ａ】
0005722795.tif 000006
【図５Ｂ】
0005722795.tif 000007
【図５Ｃ】
0005722795.tif 000008
【図６】
0005722795.tif 000009
【図７Ａ】
0005722795.tif 000010
【図７Ｂ】
0005722795.tif 000011
【図７Ｃ】
0005722795.tif 000012
【図８】
0005722795.tif 000013
【図９】
0005722795.tif 000014
【図１０Ａ】
0005722795.tif 000015
【図１０Ｂ】
0005722795.tif 000016
【図１１】
0005722795.tif 000017
【図１２】
0005722795.tif 000018
【図１３】
0005722795.tif 000019